(57)【要約】      （修正有）【課題】車両底面を効率良く目視して確認することができる車両底面確認用ミラーを提供する。【解決手段】車両底面確認用ミラー１は、所定の縦方向寸法を有し、横方向に延びる長方形状のミラー部材１０と、ミラー部材１０の横方向中間部分に固定され、このミラー部材１０を配置移動させるときに使用者が操作する柄部材２０と、ミラー部材１０の裏面を支持する車輪部材３０とを備えている。【選択図】図２
0003199173.tif 000002
【実用新案登録請求の範囲】
【請求項１】
車両の底面を確認するための確認用ミラーであって、
所定の縦方向寸法で横方向に延びる横長形状のミラー部材と、
前記ミラー部材の横方向の中間部分に取り付けられた柄部材と、
前記ミラー部材の裏面に取り付けられた車輪部材と、を備えている、ことを特徴とする車両底面確認用ミラー。
【請求項２】
前記ミラー部材は、表面を鏡面仕上げした金属板で形成されている、請求項１に記載の車両底面確認用ミラー。
【請求項３】
前記車輪部材は、前記ミラー部材の横方向に離れた少なくとも２箇所に配置され、
前記ミラー部材の柄部材と反対側の辺を接地させることで前記車輪部材とによって前記ミラー部材が所定の傾斜角度を保って自立するように構成されている、請求項１又は２に記載の車両底面確認用ミラー。
【請求項４】
前記ミラー部材は、該ミラー部材の表面を平滑に保つ補強材を裏面に有している、請求項１〜３のいずれか１項に記載の車両底面確認用ミラー。
【請求項５】
前記ミラー部材は、周囲に衝撃緩衝部材を備えている、請求項１〜４のいずれか１項に記載の車両底面確認用ミラー。
【請求項６】
前記ミラー部材は、横方向寸法の縦方向寸法に対する比が２．０以上である、請求項１〜５のいずれか１項に記載の車両底面確認用ミラー。
【請求項７】
前記ミラー部材は、横方向寸法が６０ｃｍ以上である、請求項１〜６のいずれか１項に記載の車両底面確認用ミラー。
【請求項８】
前記ミラー部材は、該ミラー部材の表面に吸着する磁石を有する照明部材をさらに備えている、請求項１〜７のいずれか１項に記載の車両底面確認用ミラー。
【考案の詳細な説明】
【技術分野】
【０００１】
本考案は、車両の底面を目視で確認するためのミラーに関する。
【背景技術】
【０００２】
従来、工場などにおける車両の整備や、空港や主要施設などにおける車両の危険物確認などにおいて、車両底面の確認が行われている。特に、近年、テロ対策などで、車両底面の危険物確認を行う施設などが増えている。
【０００３】
そこで、操作棒の先端にミラー部材を設けた検査ミラーなどを用いて車両底面の確認が行われている（この明細書及び実用新案登録請求の範囲の書類中における「車両底面の確認」は、車両を検査する場合の確認、セキュリティ上の危険物確認、などを含む）。検査ミラーとしては、ミラー部材の下面に車輪が設けられ、そのミラー部材の端部から上方に操作棒が延びたものがある。この検査ミラーによって車両底面を確認する場合、操作棒を持ってミラー部材を車両下方の底面が写る位置に押し込み、そのミラー部材に写った車両底面を目視している。これにより、車両底面の異常（例えば、異物の付着、構造部分の変形など）を確認している。
【０００４】
なお、この種の先行技術として、例えば、下水道管を検査するためのライト付検査ミラーがある（例えば、特許文献１参照）。この検査ミラーでは、使用者が持つポール部の先端にミラー部材を設け、そのミラー部材の側方にライト部を着脱自在に装着し得るライト取付部を設けている。
【０００５】
また、他の先行技術として、使用者が持つ操作棒の先端に、鏡面の向きを調整可能とした鏡部（ミラー部材）を取り付け、配管等の内部や、天井裏の暗い場所での点検・検査作業を行うものもある（例えば、特許文献２参照）。
【先行技術文献】
【特許文献】
【０００６】
【特許文献１】実用新案登録第３１４６２８４号公報
【特許文献２】実用新案登録第３１３４３８７号公報
【考案の概要】
【考案が解決しようとする課題】
【０００７】
しかしながら、上記したような検査ミラーで車両の底面を確認する場合、ミラー部材で一度に確認できる車両底面は、例えば、数十ｃｍ程度（例えば、３０ｃｍ程度）の範囲であり、狭い範囲しか一度に確認することができず、効率的な車両底面の確認作業ができない。また、上記ミラー部材に凸面鏡を用いることで広範囲が写るようにしたとしても、写った車両底面が小さくなって異物等を見分けることが難しくなり、効率良く確認することができない。
【０００８】
さらに、上記した特許文献に記載された先行技術の場合、いずれも使用者が手に持った状態で直接目視できない部分をミラー部材に写して確認するもので、上記先行技術よりもミラー部材に写る範囲が更に狭くなり、これらの先行技術で車両の底面を確認することは非常に難しい。
【０００９】
このように、従来のミラー部材で車両の底面を全て確認する場合、非常に多くの時間と労力を要する。また、複数の使用者が異なる位置で同時に確認することもできるが、その場合には使用者の人数が増えて人件費が増大し、効率的な車両底面の確認はできない。
【００１０】
そこで、本考案は、車両底面を効率良く目視で確認することができる車両底面確認用ミラーを提供することを目的とする。
【課題を解決するための手段】
【００１１】
上記目的を達成するために、本考案は、車両の底面を確認するための確認用ミラーであって、所定の縦方向寸法で横方向に延びる横長形状のミラー部材と、前記ミラー部材の横方向の中間部分に取り付けられた柄部材と、前記ミラー部材の裏面に取り付けられた車輪部材と、を備えている。
【００１２】
この構成により、ミラー部材を裏面の車輪部材で支持した状態で、柄部材を持って車両に近い位置まで移動させてミラー部材を所定角度に傾けることで、車両底面の広範囲を横長形状のミラー部材に写して、効率良く車両底面を確認することができる。
【００１３】
また、前記ミラー部材は、表面を鏡面仕上げした金属板で形成されていてもよい。このように構成すれば、金属板の表面を鏡面仕上げしたミラー部材であるため、ミラー部材を構造物などに当接させても割れないようにできる。
【００１４】
また、前記車輪部材は、前記ミラー部材の横方向に離れた少なくとも２箇所に配置され、前記ミラー部材の柄部材と反対側の辺を接地させることで前記車輪部材とによって前記ミラー部材が所定の傾斜角度を保って自立するように構成されていてもよい。このように構成すれば、ミラー部材の柄部材と反対側の辺を接地させることで、このミラー部材と車輪部材とによって自立した状態が保たれる。この自立した状態のミラー部材により、横長形状で写される車両底面の広範囲を効率良く確認することができる。しかも、ミラー部材が自立した状態で車両底面を目視することができるので、手を離して車両底面の確認に集中することができる。
【００１５】
また、前記ミラー部材は、該ミラー部材の表面を平滑に保つ補強材を裏面に有していてもよい。このように構成すれば、広範囲を確認できる大きなミラー部材を薄くして軽量化するとともに、その平滑性を補強材で長期間保つことができる。
【００１６】
また、前記ミラー部材は、周囲に衝撃緩衝部材を備えていてもよい。このように構成すれば、車両の周囲で移動させるミラー部材が車両に当接したとしても、車両を傷付けないようにできる。
【００１７】
また、前記ミラー部材は、横方向寸法の縦方向寸法に対する比が２．０以上であってもよい。横方向寸法が縦方向寸法の２倍あれば、車両底面の横方向を広範囲に写すことができる、効率良く車両底面の確認ができる。
【００１８】
また、前記ミラー部材は、横方向寸法が６０ｃｍ以上であってもよい。このように構成することで、車両底面の横方向の６０ｃｍ以上を一度に確認することができ、車両底面の確認を効率良く行うことができる。
【００１９】
また、前記ミラー部材は、該ミラー部材の表面に吸着する磁石を有する照明部材をさらに備えていてもよい。このように構成すれば、夜間や暗い場所においても、ミラー部材の表面に吸着させた照明部材の光によって車両底面をミラー部材に写して確認することができる。
【考案の効果】
【００２０】
本考案によれば、車両底面の広範囲を横長形状のミラー部材に写して一度に確認することができ、車両底面を効率良く目視で確認することが可能となる。
【図面の簡単な説明】
【００２１】
【図１】図１は、本考案の一実施形態を示す車両底面確認用ミラーの斜視図である。
【図２】図２は、図１に示す車両底面確認用ミラーの正面図である。
【図３】図３は、図１に示す車両底面確認用ミラーの側面図である。
【図４】図４は、図３に示す側面視の車両底面確認用ミラーを自立させた状態の側面図である。
【図５】図５は、図４に示す自立させた状態の車両底面確認用ミラーで車両の底面を確認する一例を示す平面図である。
【図６】図６は、図５に示す車両底面確認用ミラーの操作例を示す模式図である。
【考案を実施するための形態】
【００２２】
以下、本考案の実施形態を図面に基づいて説明する。以下の実施形態では、横長の長方形状となったミラー部材１０を備えた車両底面確認用ミラー１を例に説明する。この明細書及び実用新案登録請求の範囲の書類中における縦横方向の概念は、図２に示す車両底面確認用ミラー１に向かった状態における縦横方向の概念と一致するものとする。
【００２３】
図１に示すように、この実施形態の車両底面確認用ミラー１は、所定の縦方向寸法を有し、横方向に延びる長方形状のミラー部材１０と、上記ミラー部材１０の横方向中間部分に固定され、このミラー部材１０を配置移動させるときに使用者が操作する柄部材２０と、上記ミラー部材１０の裏面を支持する車輪部材３０とを備えている。
【００２４】
上記ミラー部材１０は、例えば、横方向寸法の縦方向寸法に対する比が２．０以上であれば、車両底面Ｂの広範囲を一度に確認することができる。このミラー部材１０の大きさとしては、例えば、縦方向寸法は車両Ｖの最低地上高から２０〜３０ｃｍ程度、横方向寸法は６０ｃｍ以上あれば車両底面Ｂの広範囲を確認することができ、好ましくは８０〜１００ｃｍ程度の大きさとすることで、車両Ｖの前後方向からタイヤＴの間を一度に確認することができる。
【００２５】
このミラー部材１０は、金属板の表面を鏡面仕上げしたものを用いている。鏡面仕上げは、例えば、バフ掛けなどの加工が採用できる。ミラー部材１０としては、例えば、ステンレス板を用いることで、錆に強く、鏡面加工によって表面を仕上げることで、割れないミラーに形成することができる。また、この実施形態のミラー部材１０の周囲には、衝撃緩衝部材１８が設けられている。この衝撃緩衝部材１８としては、例えば、軟質樹脂材やゴム材などを用いることができる。
【００２６】
図２は、上記車両底面確認用ミラー１の正面図であり、図３は、上記車両底面確認用ミラー１の側面図である。上記ミラー部材１０の裏面には、横長の金属部材からなる補強材１１，１２が設けられている。この実施形態では、Ｌ字状でミラー部材１０と同一材料のステンレス材が用いられている。この補強材１１，１２は、ミラー部材１０に裏面に溶着されたスタッドボルト１３にナット１４で固定されている。これらの補強材１１，１２は、重量増加を抑えることができる大きさが好ましい。
【００２７】
一方の補強材１１は、ミラー部材１０の短方向の中央部分に設けられ、他方の補強材１２は、ミラー部材１０の長方向の一辺部に設けられている。このように横長の２本の補強材１１，１２を設けることで、ミラー部材１０の変形を抑えている。補強材１１，１２を設ける位置としては、ミラー部材１０の大きさに応じて、変形を抑止することができる位置に設ければよい。
【００２８】
上記補強材１２の横方向中央部分には、上記柄部材２０を取り付けるためのブラケット１５が固定されている。このブラケット１５は、ミラー部材１０の裏面に溶着されたスタッドボルト１３に補強材１２とともにナット１４で固定されている。ブラケット１５は、ミラー部材１０の表面に対して所定の鋭角で設けられている。例えば、ミラー部材１０の表面に対して４５°の角度で設けられる。このブラケット１５には、柄取付部材１６が固定されている。この柄取付部材１６には、上記柄部材２０の先端部を取り付ける雌ネジ部１７が設けられている。
【００２９】
上記柄部材２０には、先端部に上記柄取付部材１６の雌ネジ部１７にねじ込む雄ネジ部２１が設けられており、柄部材２０の雄ネジ部２１を柄取付部材１６の雌ネジ部１７にねじ込むことで、柄部材２０をミラー部材１０に固定することができる。この実施形態の柄部材２０は、ミラー部材１０に設けられた柄取付部材１６との間のネジ構造で着脱自在とすることで、車両底面確認用ミラー１の収容時には柄部材２０をミラー部材１０から取り外してコンパクトな状態で収容できるようにしている。柄部材２０には、雄ネジ部２１と反対側の端部に、使用者が持つ把持部２２が設けられている。
【００３０】
一方、上記ミラー部材１０の裏面に設けられた車輪部材３０は、ミラー部材１０の横方向中央部分から等間隔で離れた２箇所に配置されており、上記補強材１２の両端部に近接した位置に設けられている。車輪部材３０も、ミラー部材１０の裏面に溶着されたスタッドボルト１３にナット１４で固定されている。
【００３１】
この車輪部材３０には、ミラー部材１０に固定する座部材３１と、ミラー部材１０の裏面に対して直交する旋回軸Ｅで旋回自在となっている車輪保持部材３２と、この車輪保持部材３２の旋回軸Ｅに対して直交する回転軸Ｆで回転自在となっている車輪３３とを有している。車輪部材３０には、例えば、一般的なキャスターを用いることができる。この車輪部材３０によれば、車輪３３は回転軸Ｆで回転しながら、旋回軸Ｅを中心に旋回することができる。車輪部材３０を旋回自在に構成することで、ミラー部材１０を移動させるときに容易に移動させることができる。また、車輪部材３０を補強材１２に近接した位置に設けることで、車輪部材３０で支持した位置でミラー部材１０が変形することを抑えている。
【００３２】
図４は、上記車両底面確認用ミラー１を自立させた状態の側面図である。図示するように、ミラー部材１０は、側面視において、柄部材２０と反対側の辺を地面Ｇに接地させることで車輪３３とによって自立させることができる。この自立時には、ミラー部材１０の横方向の長い接線と２つの車輪３３とによる３点で、安定して自立することができる。
【００３３】
このように自立させたミラー部材１０は、地面Ｇに対する傾斜角度θが、約３０°となっている。ミラー部材１０を約３０°の傾斜角度θで自立させることで、後述するようにミラー部材１０の一部が車両Ｖの下方に位置する程度に配置することで、このミラー部材１０を上方から見れば、車両底面Ｂ（図６）の広範囲をミラー部材１０に写して一度に確認することができる。
【００３４】
図５は、図４に示すように自立させた上記車両底面確認用ミラー１を用いて、車両Ｖの底面を確認する一例を示す平面図である。この図では、ミラー部材１０の長手方向両端部に、２つの照明部材４０を設けて、暗い場所で車両底面Ｂを確認する例を示している。照明部材４０としては、裏面に磁石（図示略）が設けられ、表面に複数のＬＥＤが設けられたものを用いることができる。裏面に磁石を設けることで、ステンレス板で形成されたミラー部材１０の任意の場所に吸着させて用いることができる。照明部材４０は、この例以外の構成でもよい。
【００３５】
上記車両底面確認用ミラー１は、車輪部材３０でミラー部材１０を支持した状態で、柄部材２０の把持部２２を持って車両Ｖの前後位置、又は左右位置まで移動させる。そして、車両Ｖに近い位置でミラー部材１０の柄部材２０と反対側の辺を地面Ｇに接地させることで、このミラー部材１０の一辺と、２つの車輪部材３０とによって車両底面確認用ミラー１が自立した状態となる。この図では、車両Ｖの前部に近い位置と、車両Ｖの運転席に近い位置とにおいて車両底面確認用ミラー１を自立させている。なお、図ではミラー部材１０を車両Ｖから少し離して記載しているが、ミラー部材１０の一部が車両Ｖの下方に位置する程度に配置することで、車両底面Ｂの広範囲を写して車両底面Ｂを容易に確認することができる。
【００３６】
このように車両底面確認用ミラー１を車両Ｖに近接する位置に配置することで、ミラー部材１０によって車両底面Ｂの広範囲を写すことができ、使用者が上方からミラー部材１０を見ることで車両底面Ｂの広範囲を一度に確認することができる。しかも、この実施形態では、ミラー部材１０の周囲に衝撃緩衝部材１８を設けているので、ミラー部材１０を移動させるときに車両ＶやタイヤＴに当接したとしても傷付けることはない。
【００３７】
また、図６に示すように、柄部材２０の把持部２２でミラー部材１０の傾斜角度を少し変化させることで、車両底面Ｂの手前側（実線の車両底面Ｂ）と奥側（二点鎖線の車両底面Ｂ）の広範囲を２ステップで容易に確認することができる。
【００３８】
以上のように、上記車両底面確認用ミラー１によれば、ミラー部材１０を裏面の車輪部材３０で支持した状態で、柄部材２０を持って車両Ｖの所定位置まで移動させ、ミラー部材１０を所定の傾斜角度に傾けることで車両底面Ｂの広範囲を写すことができる。そのため、車両底面Ｂの広範囲を一度に確認することが容易に可能となり、車両Ｖの周囲における数回の確認で車両底面Ｂの全体を効率良く確認することができる。従って、車両底面Ｂの確認に要する時間と労力を大幅に削減することが可能となる。
【００３９】
また、ミラー部材１０は、車両Ｖや構造物などに当接させても割れることがないので、使用者が誤ってミラー部材１０を車両Ｖなどに当接させたとしても、車両Ｖの周囲にガラスが散乱することもなく、確認作業を迅速に行うことができる。
【００４０】
なお、上記した実施形態では、ミラー部材１０をステンレス板で形成しているが、他の金属でも表面を鏡面仕上げしてミラー部材１０として用いることができ、ミラー部材１０の材質は上記実施形態に限定されるものではない。
【００４１】
また、上記した実施形態では、ミラー部材１０を２個の車輪３３で支持するようにしているが、車輪３３の数は３個以上であってもよく、上記実施形態に限定されるものではない。
【００４２】
さらに、上記した実施形態は一例を示しており、金属板のミラー部材１０によって車両底面Ｂの広範囲を一度に確認することができる構成であればよく、上記した実施形態の構成を全て備えていない構成でも本考案は実施可能であり、本考案の要旨を損なわない範囲で構成を変更してもよく、本考案は上記した実施形態に限定されるものではない。
【符号の説明】
【００４３】
１  車両底面確認用ミラー
１０  ミラー部材
１１  補強材
１２  補強材
１３  スタッドボルト
１４  ナット
１５  ブラケット
１６  柄取付部材
１７  雌ネジ部
１８  衝撃緩衝部材
２０  柄部材
２１  雄ネジ部
３０  車輪部材
３１  座部材
３２  車輪保持部材
３３  車輪
４０  照明部材
Ｖ  車両
Ｔ  タイヤ
Ｂ  車両底面
θ  傾斜角度
【図１】
0003199173.tif 000003
【図２】
0003199173.tif 000004
【図３】
0003199173.tif 000005
【図４】
0003199173.tif 000006
【図５】
0003199173.tif 000007
【図６】
0003199173.tif 000008